【手続補正書】
【提出日】平成27年7月8日(2015.7.8)
【手続補正１】
【補正対象書類名】明細書
【補正対象項目名】００５２
【補正方法】変更
【補正の内容】
【００５２】
ブロック１１５０において、交換用パネルは修理工場に出荷される。そこで、交換用パネルは損傷した航空機に据え付けられる。
また、本発明は以下に記載する態様を含む。
（態様１）
強化用繊維のレイアップを作製する方法であって、該方法は、
マンドレルツール支持体のスピンドルに強化用繊維のためのレイアップ表面を有する表面板を取り付けることと、
剛性および重心に関して取り付けられた表面板をカウンターバランスすること
を含む方法。
（態様２）
前記取り付けることは、前記スピンドル上の取付点において、前記表面板を前記スピンドルに締結することを含む、態様１に記載の方法。
（態様３）
前記カウンターバランスすることは、前記スピンドルにスペーサとともに重りを取り付けることを含む、態様１または２に記載の方法。
（態様４）
前記カウンターバランスすることは、前記表面板上に前記強化用繊維を堆積する機械の能力の範囲内で、回転平衡を確実にするために平衡条件が満たされていることを検証することをさらに含む、態様３に記載の方法。
（態様５）
前記スピンドルおよび取り付けられた表面板が移動式カート上でカウンターバランスされる、態様１ないし４のいずれか１つに記載の方法。
（態様６）
前記表面板を取り付ける前に、前記スピンドルの長さを調整することをさらに含む、態様１ないし５のいずれか１つに記載の方法。
（態様７）
前記レイアップ表面上に強化用繊維を堆積しながら、前記取り付けられた表面板を回転させることをさらに含む、態様１ないし６のいずれか１つに記載の方法。
（態様８）
部品レイアップの後に、回転機から前記スピンドルを取り外すことと、前記スピンドルを、前記取り付けられた表面板およびレイアップとともに、硬化セクションへ運搬することとをさらに含む、態様７に記載の方法。
（態様９）
前記スピンドルから前記表面板を取り外すことと、異なるレイアップ構成を有する第２の表面板を取り付けることと、前記第２の表面板をカウンターバランスすることとをさらに含む、態様７または８に記載の方法。
（態様１０）
異なるレイアップ構成を有する複数の表面板が、前記スピンドルに連続的に取り付けられ、カウンターバランスされ、複合部品製作のために使用される、態様１ないし９のいずれか１つに記載の方法。
（態様１１）
前記部品が、航空機のための複合材交換用パネルを含む、態様１０に記載の方法。
（態様１２）
マンドレルツール支持体の単一のスピンドルを使用して、強化用繊維の種々のレイアップを形成することを含む方法であって、各レイアップを形成することは、前記スピンドルに対応する表面板を取り付けることと、および前記取り付けられた表面板をカウンターバランスすることとを含む、方法。
（態様１３）
前記表面板上に前記強化用繊維を堆積しながら、前記スピンドルを回転させることをさらに含む、態様１２に記載の方法。
（態様１４）
部品レイアップの後に、前記マンドレルツール支持体から前記スピンドルを取り外すことと、前記スピンドルを、前記取り付けられた表面板およびレイアップとともに、硬化セクションへ運搬することとをさらに含む、態様１３に記載の方法。
（態様１５）
前記カウンターバランスすることは、前記スピンドルにスペーサとともに重りを取り付けることと、前記表面板上に前記強化用繊維を堆積する機械の能力の範囲内で、回転平衡を確実にするために平衡条件が満たされていることを検証することとを含む、態様１２ないし１４のいずれか１つに記載の方法。
（態様１６）
複合材料の種々のレイアップを作製する装置であって、該装置は、
取付点を有するスピンドルと、
種々のレイアウト構成を有する複数の表面板であって、前記取付点に各表面板が機械的に締結可能な、複数の表面板と、
前記スピンドルに機械的に締結された表面板をカウンターバランスする手段と
を含む装置。
（態様１７）
前記スピンドルが可変な長さを有する、態様１６に記載の装置。
（態様１８）
前記スピンドルに取り付けられた前記表面板の前記レイアップ表面上に強化用繊維を堆積する機械をさらに含む、態様１６または１７に記載の装置。
（態様１９）
前記カウンターバランス手段が重りとスペーサを含む、態様１６ないし１８のいずれか１つに記載の装置。
（態様２０）
前記スピンドルの支持及び回転のための主軸台および心押台をさらに含み、前記スピンドルが前記主軸台および前記心押台から取り外し可能である、態様１６ないし１９のいずれか１つに記載の装置。
【手続補正２】
【補正対象書類名】特許請求の範囲
【補正対象項目名】全文
【補正方法】変更
【補正の内容】
【特許請求の範囲】
【請求項１】
強化用繊維のレイアップを作製する方法であって、該方法は、
マンドレルツール支持体のスピンドルに強化用繊維のためのレイアップ表面を有する表面板を取り付けることと、
剛性および重心に関して取り付けられた表面板をカウンターバランスすること
を含む方法。
【請求項２】
前記カウンターバランスすることは、前記スピンドルにスペーサとともに重りを取り付けることを含む、請求項１に記載の方法。
【請求項３】
前記カウンターバランスすることは、前記表面板上に前記強化用繊維を堆積する機械の能力の範囲内で、回転平衡を確実にするために平衡条件が満たされていることを検証することをさらに含む、請求項２に記載の方法。
【請求項４】
前記スピンドルおよび取り付けられた表面板が移動式カート上でカウンターバランスされる、請求項１から３のいずれか一項に記載の方法。
【請求項５】
前記レイアップ表面上に強化用繊維を堆積しながら、前記取り付けられた表面板を回転させることをさらに含む、請求項１から４のいずれか一項に記載の方法。
【請求項６】
部品レイアップの後に、回転機から前記スピンドルを取り外すことと、前記スピンドルを、前記取り付けられた表面板およびレイアップとともに、硬化セクションへ運搬することとをさらに含む、請求項５に記載の方法。
【請求項７】
前記スピンドルから前記表面板を取り外すことと、異なるレイアップ構成を有する第２の表面板を取り付けることと、前記第２の表面板をカウンターバランスすることとをさらに含む、請求項５または６に記載の方法。
【請求項８】
マンドレルツール支持体の単一のスピンドルを使用して、強化用繊維の種々のレイアップを形成することを含む方法であって、各レイアップを形成することは、前記スピンドルに対応する表面板を取り付けることと、および前記取り付けられた表面板をカウンターバランスすることとを含む、方法。
【請求項９】
前記表面板上に前記強化用繊維を堆積しながら、前記スピンドルを回転させることをさらに含む、請求項８に記載の方法。
【請求項１０】
部品レイアップの後に、前記マンドレルツール支持体から前記スピンドルを取り外すことと、前記スピンドルを、前記取り付けられた表面板およびレイアップとともに、硬化セクションへ運搬することとをさらに含む、請求項９に記載の方法。
【請求項１１】
前記カウンターバランスすることは、前記スピンドルにスペーサとともに重りを取り付けることと、前記表面板上に前記強化用繊維を堆積する機械の能力の範囲内で、回転平衡を確実にするために平衡条件が満たされていることを検証することとを含む、請求項８から１０のいずれか一項に記載の方法。
【請求項１２】
複合材料の種々のレイアップを作製する装置であって、該装置は、
取付点を有するスピンドルと、
種々のレイアウト構成を有する複数の表面板であって、前記取付点に各表面板が機械的に締結可能な、複数の表面板と、
前記スピンドルに機械的に締結された表面板をカウンターバランスする手段と
を含む装置。
【請求項１３】
前記スピンドルが可変な長さを有する、請求項１２に記載の装置。
【請求項１４】
前記スピンドルに取り付けられた前記表面板の前記レイアップ表面上に強化用繊維を堆積する機械をさらに含む、請求項１２または１３に記載の装置。
【請求項１５】
前記カウンターバランス手段が重りとスペーサを含む、請求項１２から１４のいずれか一項に記載の装置。